(57)【特許請求の範囲】
【請求項１】
床を自在に移動する可搬式吐水装置と、
前記床に備えられた給排水装置と、
が接続される可搬式給排水装置接続構造において、
前記給排水装置が、
前記床と同一平面上にある蓋部材と、
前記蓋部材と同一平面上にある開閉軸部に連結された平板状の開閉部材と、
この開閉部材の裏側において、前記開閉軸部に平行かつ前記開閉部材と直交する面を有し、この面に接続口を有する給排水接続部と、
前記給排水接続部が収納される床下の収納部の周囲に備えられて前記給排水接続部を前記開閉部材と共に開閉する開閉機構と、を有し、
前記開閉部材が、当該開閉部材の裏側に突設した被押圧片及び係止片を有し、
前記給排水装置の不使用時に、前記開閉部材が前記床と同一平面上に配置され、かつ、前記給排水接続部が前記収納部に収納された状態で、前記係止片が前記開閉機構によって留められ、
前記給排水装置の使用時に、前記被押圧片が前記開閉機構に押されることで、前記開閉部材が、前記開閉軸部を介して前記給排水接続部と共に前記床に対して床上に向けて傾斜し、この状態から、前記給排水接続部が、前進する前記可搬式吐水装置に押されることによって、徐々に立ち上げられて起立して床上に配置されると共に前記可搬式吐水装置と接続される、
ことを特徴とする可搬式給排水装置接続構造。
【請求項２】
前記給排水装置が、
前記開閉部材と共に前記給排水接続部を前記床に対して床上に向けて傾斜した状態にするための開閉操作レバーと、
前記蓋部材の下方に配置されると共に、前記開閉操作レバーがレバー軸部を介して連結された操作ブロックと、を有し、
前記給排水装置の不使用時に、前記開閉操作レバーが、前記蓋部材と同一平面上に配置され、
前記給排水装置の使用時に、前記開閉操作レバーが、前記レバー軸部を介して起立した状態で床下に向けて押されて前記操作ブロックと共に下降することで、この操作ブロックに連動した前記開閉機構が、前記係止片から外れると共に前記被押圧片を押す、
ことを特徴とする請求項１に記載された可搬式給排水装置接続構造。
【請求項３】
前記給排水接続部における前記接続口を有する面にカバーが備えられ、このカバーが、
前記開閉部材から床下に向けて離れる側に接続されたカバー軸縁部と、前記開閉部材に近い側に配置されたカバー自由端部とを有し、前記不使用時に閉じ、前記使用時に前記カバー軸縁部を軸として前記カバー自由端部側から開く、
ことを特徴とする請求項１または請求項２に記載された可搬式給排水装置接続構造。
【請求項４】
前記可搬式吐水装置を前記給排水装置に固定するための固定ピンが、下方に向けて突出して前記可搬式吐水装置に備えられ、
前記固定ピンが挿入される挿入口が、前記給排水接続部における前記接続口を有する面に形成され、
前記可搬式吐水装置を下降させると共に前記固定ピンを相対的に移動させて前記挿入口に挿入させることで前記可搬式吐水装置と前記給排水装置とを接続させる接続操作部が、前記可搬式吐水装置に備えられた、
ことを特徴とする請求項１から請求項３のいずれか１項に記載された可搬式給排水装置接続構造。
【請求項５】
前記可搬式吐水装置にガイドローラーが備えられ、
接続過程における前記可搬式吐水装置の前記ガイドローラーを案内すると共に前記給排水接続部を起立させるガイド溝が、前記給排水接続部における前記接続口を有する面と前記開閉部材とに直交する両側面において、前記接続口側から前記開閉部材に沿って形成された、
ことを特徴とする請求項１から請求項４のいずれか１項に記載された可搬式給排水装置接続構造。
【請求項６】
前記ガイド溝の幅が、溝の底に向けて徐々に小さくなっている、
ことを特徴とする請求項５に記載された可搬式給排水装置接続構造。
【請求項７】
前記可搬式吐水装置に、側方に向けて突出した係止ピンが備えられ、
接続過程における前記可搬式吐水装置の前記係止ピンが係止される係止溝が、前記ガイド溝に形成された、
ことを特徴とする請求項５または請求項６に記載された可搬式給排水装置接続構造。
【発明の詳細な説明】
【技術分野】
【０００１】
本発明は、例えば理美容施設、飲食施設および医療施設などで用いられる可搬式給排水装置接続構造に関するものである。
【背景技術】
【０００２】
従来、理美容施設のシャンプーボールや、飲食施設および医療施設の流し台などの吐水設備は、キャスターが備えられた可搬式のものがあり、使用時に所定の位置まで移動させ、床に設けられた給排水設備に接続して用いられる。この様な可搬式の吐水設備として、例えば下記特許文献１に記載された移動式シャンプー装置がある。
【０００３】
この移動式シャンプー装置は、シャンプーボールが備えられたシャンプーユニットと、給排水設備が備えられた床下ユニットとから構成されている。シャンプーユニットは、ペダルと連動して下方に向けて突き出る係合部材と、下降して給排水設備と接続されるカプラとが備えられ、一方、床下ユニットは、係合部材によって押下される押下部材と、この押下部材と連動して開放される蓋と、これらを連動させるためのリンク機構とが備えられている。このような移動式シャンプー装置において、シャンプーユニットを移動させて床下ユニットの真上に配置させ、ペダルが踏まれることで係合部材が下方に突き出ると、係合部材によって床下ユニットの押下部材が押されると共にリンク機構が稼働して蓋が開放され、床下に備えられた給排水設備が露出する。給排水設備の接続口は上方に向けられているため、カプラを床下まで下降させることで接続口に接続される。
【先行技術文献】
【特許文献】
【０００４】
【特許文献１】特開２００５−２８７８１４号公報
【発明の概要】
【発明が解決しようとする課題】
【０００５】
しかし、この移動式シャンプー装置は、上記したとおり、給排水設備が露出した後、床下において上方に向けられた接続口にシャンプーユニットのカプラを下降させて給排水設備に接続するため、接続過程において、床に散乱した毛髪などの異物が床下ユニットに入る場合がある。仮に、異物が接続口に入って接続口とカプラとの間に挟まると、接続状態および給排水に影響を及ぼす場合がある。
【０００６】
本発明は、上記の実情に鑑みて提案されたものである。すなわち、確実に接続して円滑に給排水をすることができる可搬式給排水装置接続構造の提供を目的とする。
【課題を解決するための手段】
【０００７】
上記目的を達成するために、本発明に係る可搬式給排水装置接続構造は、床を自在に移動する可搬式吐水装置と、前記床に備えられた給排水装置とが接続される可搬式給排水装置接続構造において、不使用時に床下に収納され、使用時に床上に配置されて前記可搬式吐水装置と接続される給排水接続部が前記給排水装置に備えられた、ことを特徴とする。
【０００８】
本発明に係る可搬式給排水装置接続構造は、前記床と同一平面上に配置されて使用時に起立する開閉部材が前記給排水装置に備えられ、この開閉部材の裏側に、接続口が前記開閉部材と直交する面に向けられた前記給排水接続部が備えられた、ことを特徴とする。
【０００９】
本発明に係る可搬式給排水装置接続構造は、前記給排水接続部を作動させる開閉機構が、前記給排水接続部が収納される床下の収納部の周囲に備えられた、ことを特徴とする。
【００１０】
本発明に係る可搬式給排水装置接続構造は、前記給排水接続部を作動させる開閉操作部が、前記給排水装置に備えられた、ことを特徴とする。
【００１１】
本発明に係る可搬式給排水装置接続構造は、不使用時に閉じて使用時に開くカバーが前記給排水接続部に備えられた、ことを特徴とする。
【００１２】
本発明に係る可搬式給排水装置接続構造は、前記可搬式吐水装置を前記給排水装置に固定するための固定ピンが備えられ、前記可搬式吐水装置を下降させて給排水装置と接続させると共に前記固定ピンを相対的に移動させて前記可搬式吐水装置と前記給排水装置とを接続させる接続操作部が、前記可搬式吐水装置に備えられた、ことを特徴とする。
【００１３】
本発明に係る可搬式給排水装置接続構造は、前記可搬式吐水装置にガイドローラーが備えられ、接続過程における前記可搬式吐水装置の前記ガイドローラーを案内すると共に前記給排水接続部を起立させるガイド溝が、前記給排水接続部に形成された、ことを特徴とする。
【００１４】
本発明に係る可搬式給排水装置接続構造は、前記可搬式吐水装置に係止ピンが備えられ、接続過程における前記可搬式吐水装置の前記係止ピンが係止される係止溝が、前記ガイド溝に形成された、ことを特徴とする。
【発明の効果】
【００１５】
本発明に係る可搬式給排水装置接続構造は上記した構成である。すなわち、給排水接続部が床上に配置されることから、可搬式吐水装置との接続が、床と同一平面よりも上方で行われる。そのため、可搬式吐水装置と給排水接続部との間に異物が挟まることがない。したがって、可搬式吐水装置と給排水装置とを確実に接続することができ、円滑に給排水をすることができる。
【００１６】
本発明に係る可搬式給排水装置接続構造は、床と同一平面上に配置されて使用時に起立する開閉部材が給排水装置に備えられ、この開閉部材の裏側に、接続口が開閉部材と直交する面に向けられた給排水接続部が備えられている。すなわち、開閉部材は、可搬式給排水装置接続構造の不使用時において床と同一平面上に配置されるため、この開閉部材の裏側に備えられた給排水接続部は不使用時において床下に遮蔽される。一方、開閉部材は、可搬式給排水装置接続構造の使用時において起立して床上に配置されるため、給排水接続部は使用時において床上に露出される。仮に、異物が給排水装置に入ったとしても、給排水接続部が開閉部材ごと起立するため異物が可搬式吐水装置と給排水接続部との間に挟まることがない。したがって、可搬式吐水装置と給排水装置とを確実に接続することができ、円滑に給排水をすることができる。
【００１７】
また、開閉部材の裏側に備えられている給排水接続部は、接続口が開閉部材と直交する面に向けられているため、床下に遮蔽されている状態において、接続口は水平方向に向けられている。仮に、異物が給排水装置に入ったとしても、異物の落下方向と接続口が向けられている水平方向とが直交しているため異物が接続口に入ることがない。したがって、可搬式吐水装置と給排水装置とを確実に接続することができ、円滑に給排水をすることができる。
【００１８】
本発明に係る可搬式給排水装置接続構造は、給排水接続部を作動させる開閉機構が、給排水接続部が収納される床下の収納部の周囲に備えられている。この構成により、仮に、異物が給排水装置に入ったとしても、散乱する範囲が収納部に留まるため、開閉機構の間に入ることがない。したがって、給排水装置や開閉機構を分解することなく、給排水装置の清掃や保守を容易に行うことができる。
【００１９】
本発明に係る可搬式給排水装置接続構造は、給排水接続部を作動させる開閉操作部が、給排水装置に備えられている。この構成により、給排水接続部を作動させて開放する操作が、給排水装置単体で行われる。したがって、可搬式給排水装置接続構造の不使用時においても、給排水接続部を操作して給排水装置を開放させ、通気すると共に換気を促して結露を防ぐことができる。
【００２０】
本発明に係る可搬式給排水装置接続構造は、不使用時に閉じて使用時に開くカバーが給排水接続部に備えられている。すなわち、可搬式給排水装置接続構造の不使用時において給排水接続部がカバーに覆われるため、仮に、毛髪が給排水装置に入ったとしても、毛髪が給排水接続部の接続口に入ることがない。したがって、可搬式吐水装置と給排水装置とを確実に接続することができ、円滑に給排水をすることができる。
【００２１】
本発明に係る可搬式給排水装置接続構造は、可搬式吐水装置を前記給排水装置に固定するための固定ピンが備えられ、可搬式吐水装置を下降させて給排水装置と接続させると共に固定ピンを相対的に移動させて可搬式吐水装置と給排水装置とを接続させる接続操作部が、可搬式吐水装置に備えられている。この構成により、可搬式吐水装置と給排水装置との接続状態を堅固にすることができる。したがって、円滑に給排水をすることができる。また、可搬式吐水装置と給排水装置との接続、および給排水装置に対する可搬式吐水装置の固定を単一の操作で行うことができる。
【００２２】
なお、本発明は給排水装置の給排水接続部を作動可能に設けるため、給排水装置における床下の取付環境、および可搬式吐水装置が移動する床面の環境によって発生する微小な公差によって、可搬式給排水装置接続構造に接続不良が生じることはない。補足すれば、従来の移動式シャンプー装置における接続に使用される床下の給排水設備は、一度固定されると、その位置を自ら調整することができないため、部品や組み立て、設置などに高い精度が要求され、わずかなズレの発生によって十分な接続ができず、給排水に影響を与える場合がある。
【００２３】
本発明に係る可搬式給排水装置接続構造は、可搬式吐水装置にガイドローラーが備えられ、接続過程における可搬式吐水装置の前記ガイドローラーを案内すると共に給排水接続部を起立させるガイド溝が、給排水接続部に形成されている。すなわち、可搬式吐水装置と給排水装置との接続過程において、ガイドローラーがガイド溝に沿って案内されることで、可搬式吐水装置が給排水装置に対して位置決めされると共に給排水接続部が起立する。したがって、可搬式吐水装置と給排水装置とを容易に接続することができる。
【００２４】
本発明に係る可搬式給排水装置接続構造は、可搬式吐水装置に係止ピンが備えられ、接続過程における可搬式吐水装置の係止ピンが係止される係止溝が、ガイド溝に形成されている。すなわち、可搬式吐水装置の接続操作部の操作において、可搬式吐水装置と共に固定ピンを下降させて給排水装置に接続する際に生じる給排水装置からの反力によって、可搬式吐水装置が浮いて床から離れようとするところ、係止ピンが係止溝に係止される力が作用し、両力がつり合って可搬式吐水装置が浮かずに床に留まる。したがって、可搬式吐水装置と給排水装置とを安定させて接続することができる。
【図面の簡単な説明】
【００２５】
【図１】本発明の実施形態に係る可搬式給排水装置接続構造の外観が示され、（ａ）が外観斜視図であり、（ｂ）が要部拡大図である。
【図２】本発明の実施形態に係る可搬式給排水装置接続構造における給排水装置の外観が示され、（ａ）が後方側右側方上方寄りから視した後方右側上方斜視図、（ｂ）が右側方から視した右側面図、（ｃ）が左側方から視した左側面図、（ｄ）が左側断面図である。
【図３】本発明の実施形態に係る可搬式給排水装置接続構造における給排水装置の作動過程が示され、（ａ）が後方右側上方斜視図、（ｂ）が右側面図、（ｃ）が左側面図である。
【図４】本発明の実施形態に係る可搬式給排水装置接続構造における給排水装置の作動過程が示され、（ａ）が後方右側上方斜視図、（ｂ）が右側面図、（ｃ）が左側面図、（ｄ）が左側断面図である。
【図５】本発明の実施形態に係る可搬式給排水装置接続構造における給排水装置の作動過程が示され、（ａ）が後方右側上方斜視図、（ｂ）が右側面図、（ｃ）が左側面図である。
【図６】本発明の実施形態に係る可搬式給排水装置接続構造における給排水装置の作動過程が示され、（ａ）が後方右側上方斜視図、（ｂ）が右側面図、（ｃ）が左側面図、（ｄ）が左側断面図である。
【図７】本発明の実施形態に係る可搬式給排水装置接続構造における給排水装置の作動過程が示され、（ａ）が後方右側上方斜視図、（ｂ）が右側面図、（ｃ）が左側面図である。
【図８】本発明の実施形態に係る可搬式給排水装置接続構造における作動前の可搬式吐水装置の前方側の外観が示され、（ａ）が右側方上方寄りから視した前方右側上方斜視図、（ｂ）が左側方上方寄りから視した前方左側上方斜視図、（ｃ）が右側方下方寄りから視した前方右側下方斜視図、（ｄ）が左側方下方寄りから視した前方左側下方斜視図である。
【図９】本発明の実施形態に係る可搬式給排水装置接続構造における作動前の可搬式吐水装置の外観が示され、（ａ）が左側面図、（ｂ）が前方から視した正面図、（ｃ）が右側面図、（ｄ）が下方から視した底面図である。
【図１０】本発明の実施形態に係る可搬式給排水装置接続構造における作動後の可搬式吐水装置の前方側の外観が示され、（ａ）が前方右側上方斜視図、（ｂ）が前方左側上方斜視図、（ｃ）が前方右側下方斜視図、（ｄ）が前方左側下方斜視図である。
【図１１】本発明の実施形態に係る可搬式給排水装置接続構造における作動後の可搬式吐水装置の外観が示され、（ａ）が左側面図、（ｂ）が正面図、（ｃ）が右側面図である。
【図１２】本発明の実施形態に係る可搬式給排水装置接続構造の接続過程が左側方から示され、（ａ）が接続初期状態図、（ｂ）が接続途中状態図、（ｃ）が接続完了状態図である。
【図１３】本発明の実施形態に係る可搬式給排水装置接続構造の接続過程が右側方から示され、（ａ）が接続初期状態図、（ｂ）が接続途中状態図、（ｃ）が接続完了状態図である。
【図１４】本発明の実施形態に係る可搬式給排水装置接続構造における給排水装置のカバーの外観が示された外観斜視図である。
【図１５】本発明の実施形態に係る可搬式給排水装置接続構造における給排水装置のカバーの作動過程が示され、（ａ）が後方側左側方上方寄りから視した後方左側上方斜視図、（ｂ）が左側断面図である。
【図１６】本発明の実施形態に係る可搬式給排水装置接続構造における給排水装置のカバーの作動過程が示され、（ａ）が後方左側上方斜視図、（ｂ）が左側断面図である。
【図１７】本発明の実施形態に係る可搬式給排水装置接続構造における給排水装置のカバーの作動過程が示され、（ａ）が後方左側上方斜視図、（ｂ）が左側断面図である。
【図１８】本発明の実施形態に係る可搬式給排水装置接続構造における給排水装置のカバーの作動過程が示され、（ａ）が後方左側上方斜視図、（ｂ）が左側断面図である。
【図１９】本発明の実施形態の変形例に係る可搬式給排水装置接続構造における給排水装置の外観が示された後方右側上方斜視図である。
【図２０】本発明の実施形態の変形例に係る可搬式給排水装置接続構造における給排水装置が示され、（ａ）が右側面図、（ｂ）が右側断面図、（ｃ）が左側面図、（ｄ）が左側断面図である。
【図２１】本発明の実施形態の変形例に係る可搬式給排水装置接続構造における給排水装置の作動過程が示された後方右側上方斜視図である。
【図２２】本発明の実施形態の変形例に係る可搬式給排水装置接続構造における給排水装置の作動過程が示され、（ａ）が右側面図、（ｂ）が右側断面図、（ｃ）が左側面図、（ｄ）が左側断面図である。
【図２３】本発明の実施形態の変形例に係る可搬式給排水装置接続構造における給排水装置の作動過程が示された後方右側上方斜視図である。
【図２４】本発明の実施形態の変形例に係る可搬式給排水装置接続構造における給排水装置の作動過程が示され、（ａ）が右側面図、（ｂ）が右側断面図、（ｃ）が左側面図、（ｄ）が左側断面図である。
【図２５】本発明の実施形態の変形例に係る可搬式給排水装置接続構造における給排水装置の作動過程が示された後方右側上方斜視図である。
【図２６】本発明の実施形態の変形例に係る可搬式給排水装置接続構造における給排水装置の作動過程が示され、（ａ）が右側面図、（ｂ）が右側断面図、（ｃ）が左側面図、（ｄ）が左側断面図である。
【発明を実施するための形態】
【００２６】
以下に、本発明の実施形態に係る可搬式給排水装置接続構造を図面に基づいて説明する。図１は、本発明の実施形態に係る可搬式給排水装置接続構造１の外観が示されている。
【００２７】
図１（ａ）に示されているとおり、可搬式給排水装置接続構造１は、床を自在に移動する可搬式吐水装置５０と、床に備えられた給排水装置１０とから構成され、両装置１０，５０が作動して接続される。なお、以下の説明では、図１（ａ）において、可搬式吐水装置５０と給排水装置１０との接続過程における可搬式吐水装置５０の移動方向を前方とし、この前方の反対側を後方とし、後方から前方を視して側方を左右側とし、床に垂直な方向を上方および下方とする。
【００２８】
まず、給排水装置１０を図面に基づいて説明する。図２、図３、図４、図５、図６および図７は、本発明の実施形態に係る可搬式給排水装置接続構造１を構成する給排水装置１０が示されている。なお、給排水装置１０は、箱型の筐体２に収められているが（図１（ａ）参照）、図２から図７において、本実施形態を理解し易くするために筐体２が省略されている。
【００２９】
図２から図７に示されているとおり、給排水装置１０は、次の各部から構成されている。すなわち、各部が収容された筐体２の上面に取り付けられた蓋部材１１と、不使用時に床（または蓋部材１１）と同一平面上に配置されて使用時に起立する開閉部材１２と、この開閉部材１２の裏側に取り付けられて不使用時に床下に収納され、使用時に床上に配置されて可搬式吐水装置５０と接続される給排水接続部１７と、この給排水接続部１７（および開閉部材１２）を作動させる開閉操作部２７と、この開閉操作部２７と連動して給排水接続部１７（および開閉部材１２）を作動させる開閉機構３３とから、給排水装置１０が構成されている。開閉部材１２が床と同一平面上に配置された不使用時において給排水接続部１７が収納される空間は、収納部２６である（図６および図７参照）。
【００３０】
開閉部材１２は平板状に形成されて蓋部材１１の一部を構成し、蓋部材１１と共に床と同一平面上に配置されている。開閉部材１２は前方端が開閉軸部１３を介して蓋部材１１に連結され、前方端を軸にして後方側が開閉する。開閉軸部１３の右側端は係止片１４が連結されている（各図（ｂ）参照）。この係止片１４は、平板状に形成されて下方に伸び、先端にロックピン１５が左方に向けて取り付けられている。一方、開閉軸部１３の左側端は被押圧片１６が連結されている（各図（ｃ）参照）。この被押圧片１６は、平板状に形成されて下方に伸びている。
【００３１】
給排水接続部１７は、接続口が開閉部材１２と直交する面に向けられて開閉部材１２の裏側に取り付けられている。接続口は、給排水側給湯接続口１８と、給排水側給水接続口１９と、給排水側排水接続口２０とから構成されている。各給排水側接続口１８，１９，２０の両側方は、各給排水側接続口１８，１９，２０と同じ向きに挿入口４４が形成されている。
【００３２】
給排水接続部１７の両側方は、可搬式吐水装置５０と給排水装置１０との接続過程において、可搬式吐水装置５０を案内すると共に給排水接続部１７（および開閉部材１２）を起立させるガイド溝２２が形成されている（図７参照）。このガイド溝２２は、開閉部材１２が閉じて給排水接続部１７が閉塞された状態において後方から前方に向けて長手であり、後方側が開放された溝開放端２３であり、前方側が閉塞した溝底部２４である。ガイド溝２２の幅は、溝開放端２３から溝底部２４に至って徐々に小さく形成されている。ガイド溝２２の溝底部２４は、可搬式吐水装置５０と給排水装置１０との接続過程において、可搬式吐水装置５０が係止される係止溝２５が形成されている。係止溝２５はガイド溝２２の溝底部２４よりも小さく形成されている。
【００３３】
開閉操作部２７は、次の各部から構成されている。すなわち、開閉部材１２の右方に配置され、不使用時に床（および蓋部材１１）と同一平面上に配置されて使用時に起立する開閉操作レバー２８と、この開閉操作レバー２８と連結されて蓋部材１１の裏側に配置された操作ブロック３０と、この操作ブロック３０を上方に向けて蓋部材１１の裏側に押し付ける操作バネ３２とから開閉操作部２７が構成されている。
【００３４】
開閉操作レバー２８は後方端がレバー軸部２９（各図（ｂ）参照）を介して操作ブロック３０に連結され、後方端を軸にして開閉操作レバー２８が回転し、前方側が開閉する。操作ブロック３０は、ほぼ直方体であり上面側にレバー軸部２９を介して開閉操作レバー２８が連結されている。また、操作ブロック３０は、下面側に支柱部３１と共に操作バネ３２が取り付けられている。操作バネ３２は、操作ブロック３０が下降すると圧縮するような状態で取り付けられている。圧縮された操作バネ３２が作動すると、この操作バネ３２の復元力によって操作ブロック３０が上昇して蓋部材１１の裏側に押し付けられる。
【００３５】
開閉機構３３は、右側開閉リンク機構３４（各図（ｂ）参照）と左側開閉スライド機構３８（各図（ｃ）参照）とから構成されている。各機構３４，３８は収納部２６（図６および図７参照）の周囲に配置されている。詳説すれば、収納部２６の右側方に寄せて右側開閉リンク機構３４が配置され、左側方に寄せて左側開閉スライド３８が配置されている。
【００３６】
右側開閉リンク機構３４は、次の各リンク片から構成されている。すなわち、操作ブロック３０の下方に配置されて平板状に形成された“へ”字形の第一リンク片３５と、この第一リンク片３５に連結されて平板状に形成された前後方向に長手の第二リンク片３６と、この第二リンク片３６に連結されて平板状に形成されたフック状の第三リンク片３７とから右側開閉リンク機構３４が構成されている。第一リンク片３５は中央が支持され、上方側が操作ブロック３０の裏側と対面し、下方端に第二リンク片３６の後方端および第一リンクバネ４５が連結されている。第一リンクバネ４５は、第一リンク片３５が時計回りに回転（右側面から視して右回転）すると伸張するような状態で取り付けられている。第一リンクバネ４５が作動すると、この第一リンクバネ４５の復元力によって第一リンク片３５が反時計回りに回転（右側面から視して左回転）する。第二リンク片３６の後方端は第一リンク片３５の下方端が連結され、前方端は第三リンク片３７の下方端が連結されている。第三リンク片３７は、中央が支持され、下方端に第二リンク片３６の前方端が連結され、上方端がフック状に形成されると共に開閉部材１２のロックピン１５に係止されている。
【００３７】
左側開閉スライド機構３８は、次の各部から構成されている。すなわち、筐体２の底に沿って前後方向にスライドするスライド部材３９と、このスライド部材３９の前方側に取り付けられて平板状に形成された押圧片４０と、スライド部材３９の後方側に取り付けられて平板状に形成されたバネ支持片４１と、このバネ支持片４１と筐体２とに取り付けられたスライドバネ４２とから左側開閉スライド機構３８が構成されている。
【００３８】
押圧片４０は、作動前の給排水装置１０において、開閉部材１２の被押圧片１６に対し、前方側から接触している。バネ支持片４１は、押圧片４０よりも後方側に配置され、上下方向の三箇所にスライドバネ４２の前方端がそれぞれ取り付けられている。スライドバネ４２の後方端は、筐体２に取り付けられて平板状に形成されたバネ留め片４３の上下方向の三箇所にそれぞれ取り付けられている。このスライドバネ４２は、スライド部材３９が前方に向けて押されると伸張するような状態で取り付けられている。伸張されたスライドバネ４２が作動すると、このスライドバネ４２の復元力によって、スライド部材３９が後方に移動する。なお、各図において、スライドバネ４２は自然長で示されている。
【００３９】
以上のとおり、給排水装置１０が構成されている。なお、給排水装置１０の作動過程については後述する。
【００４０】
次に、可搬式吐水装置５０を図面に基づいて説明する。図８、図９、図１０、および図１１は、本発明の実施形態に係る可搬式給排水装置接続構造１を構成する可搬式吐水装置５０が示され、図８および図９に作動前の可搬式吐水装置５０が示され、図１０および図１１に作動後の可搬式吐水装置５０が示されている。
【００４１】
図８から図１１に示されているとおり、可搬式吐水装置５０は、床を自在に移動することができる可搬式のシャンプーボール５２であり、次の各部から構成されている。すなわち、キャスター３が取り付けられたフレーム部５１と、このフレーム部５１の上方に備えられたシャンプーボール５２と、フレーム部５１の下方に配置されて接続過程におけるガイドとなるガイドローラー５４と、このガイドローラー５４と同様にフレーム部５１の下方に配置されて接続過程における係止構造となる係止ピン５５と、給排水装置１０の給排水接続部１７と接続される可搬側接続部５６と、この可搬側接続部５６に備えられて可搬式吐水装置５０を給排水装置１０に固定するための固定ピン６０と、可搬側接続部５６に備えられた固定脚部６１と、可搬側接続部５６を下降させて給排水装置１０と接続させると共に固定ピン６０を相対的に下方に移動させて可搬式吐水装置５０と給排水装置１０とを接続させ、さらに固定脚部６１を床に接触させる接続操作部６３とから可搬式吐水装置５０が構成されている。
【００４２】
シャンプーボール５２は、例えば陶器製であり、被施術者（図示省略）の頭部などが支持される支持器具が後方側に備えられている。また、シャンプーボール５２の内側は、水量を調節するバルブおよび水を噴射させるシャワーヘッドが備えられている。
【００４３】
ガイドローラー５４および係止ピン５５は、フレーム部５１における下方の両側方寄りに備えられている。詳説すれば、一対の平板状の板片部５３が、フレーム部５１の下方の両側方寄りに備えられている。この板片部５３は、平坦な面が互いに向き合って配置され、互いが向き合う側の面にガイドローラー５４と係止ピン５５とが備えられている。ガイドローラー５４および係止ピン５５の配置は、板片部５３において、係止ピン５５がガイドローラー５４よりも前方で、かつ、下方に配置されている。
【００４４】
可搬側接続部５６は、シャンプーボール５２と給排水装置１０との間の水や湯の流路となる配管の接続口および固定ピン６０が下方に向けて配置されている。接続口は、可搬側給湯接続口５７と、可搬側給水接続口５８と、可搬側排水接続口６７とから構成されている（図９（ｄ）参照）。固定ピン６０は、各可搬側接続口５７，５８，６７の両側方に配置されている。各可搬側接続口５７，５８，６７および固定ピン６０の配置は、給排水装置１０の各給排水側接続口１８，１９，２０および挿入口４４の配置に揃えられている。固定脚部６１は、可搬側接続部５６の両側方に配置されると共に脚部バネ６２の下端に取り付けられ、下方に向けて伸びている。脚部バネ６２は、固定脚部６１が下降すると圧縮するような状態で取り付けられている。圧縮された脚部バネ６２が作動すると、この脚部バネ６２の復元力によって固定脚部６１が上昇する。
【００４５】
接続操作部６３は、次の各部から構成されている。すなわち、フレーム部５１の前方側において側方を軸として支持された接続操作軸部６４と、この接続操作軸部６４の右側端に連結されてフレーム部５１の側方を通って後方に向けて伸びた棒状の連結部材６５と、この連結部材６５の後方端に連結されてフレーム部５１の後方側に配置され、“Ｌ”字形に形成されたハンドル部材６６とから接続操作部６３が構成されている。接続操作部６３は、接続操作軸部６４を軸にしてハンドル部材６６が上下に動き、ハンドル部材６６が下降すると、各可搬側接続口５７，５８，６７、固定ピン６０および固定脚部６１が可搬側接続部５６と共に連動して下降する。
【００４６】
以上のとおり、可搬式吐水装置５０が構成されている。
【００４７】
次に、給排水装置１０の作動過程と、可搬式吐水装置５０と給排水装置１０との接続過程を図面に基づいて説明する。図１２および図１３は、本発明の実施形態に係る可搬式給排水装置接続構造１を構成する可搬式吐水装置５０と給排水装置１０との接続過程が示されている。
【００４８】
図２において、給排水装置１０は不使用時の状態である。不使用時の状態において、開閉部材１２は蓋部材１１と同一平面上に配置され、給排水接続部１７が収納部２６に収納されて遮蔽されている。また、開閉操作部２７は、開閉操作レバー２８が蓋部材１１と同一平面上に配置され、操作ブロック３０が上方に向けて操作バネ３２に復元力によって蓋部材１１の裏側に押し付けられている。開閉機構３３の右側開閉リンク機構３４は、第三リンク片３７が開閉部材１２のロックピン１５に係止されている。一方、開閉機構３３の左側開閉スライド機構３８は、スライド部材３９の押圧片４０が、開閉部材１２の被押圧片１６に接触している。
【００４９】
この状態において、図３に示されているとおり、開閉操作レバー２８の前方側を引き上げ、図４に示されているとおり、開閉操作レバー２８を蓋部材１１に対して垂直にする。
【００５０】
図５に示されているとおり、開閉操作レバー２８を下方に向けて押し込むことで、操作バネ３２の復元力に逆らって操作ブロック３０を下降させる。このことによって、右側開閉リンク機構３４は、第一リンク片３５が、操作ブロックに押されて第一リンクバネ４５の復元力に逆らって時計回りに回転（右側面から視して右回転）し、第二リンク片３６が第一リンク片３５に引っ張られて後方にずれ、第三リンク片３７が第二リンク片３６に引っ張られて時計回りに回転する。このことによって、係止片１４のロックピン１５が外れる。
【００５１】
図６に示されているとおり、左側開閉スライド機構３８は、スライドバネ４２の復元力によって引っ張られてスライド部材３９が後方に移動すると共に、スライド部材３９の押圧片４０が開閉部材１２の被押圧片１６を後方に押す。このことによって、給排水接続部１７（および開閉部材１２）は、開閉軸部１３を軸として回転すると共に後方側が立ち上がり、床上において蓋部材１１に対して傾斜して使用時の状態となる。この使用時の状態で、給排水装置１０に可搬式吐水装置５０を接続する。なお、図７は、開閉部材１２がさらに立ち上げられて蓋部材１１に対して垂直に起立したものが示されている。
【００５２】
図１２（ａ）（図１３（ａ））に示されているとおり、可搬式吐水装置５０を移動させ、後方から給排水装置１０の給排水接続部１７に合わせて接続初期状態とする。詳説すれば、可搬式吐水装置５０のガイドローラー５４および係止ピン５５を、給排水装置１０のガイド溝２２の溝開放端２３と対面させる。この状態で、可搬式吐水装置５０を前進させる。
【００５３】
図１２（ｂ）（図１３（ｂ））に示されているとおり、ガイドローラー５４および係止ピン５５がガイド溝２２の溝開放端２３から挿入され、可搬式吐水装置５０が前進する際、ガイドローラー５４がガイド溝２２に沿って案内されて位置決めされる。同時に、給排水接続部１７が可搬式吐水装置５０に押されて蓋部材１１に対して徐々に立ち上げられて起立して接続途中状態となる。
【００５４】
図１２（ｃ）（図１３（ｃ））に示されているとおり、可搬式吐水装置５０がさらに前進し、給排水接続部１７が蓋部材１１に対して垂直に起立すると同時に、ガイドローラー５４がガイド溝２２の溝底部２４に配置され、係止ピン５５がガイド溝２２の係止溝２５に係止されて接続完了状態となる。
【００５５】
この状態で、可搬式吐水装置５０の接続操作部６３を操作し、ハンドル部材６６を下降させ、各可搬側接続口５７，５８，６７、固定ピン６０および固定脚部６１を可搬側接続部５６と共に連動させて下降させる（図１０および図１１参照）。可搬式吐水装置５０の各可搬側接続口５７，５８，６７は、給排水装置１０の各給排水側接続口１８，１９，２０と接続され、可搬式吐水装置５０の固定ピン６０は、給排水装置１０の挿入口４４に挿入され（図１（ｂ）参照）、可搬式吐水装置５０の固定脚部６１は、床（または蓋部材１１）に接触する。
【００５６】
以上のとおり、可搬式吐水装置５０と給排水装置１０とが接続され、図１（ａ）に示されているとおり、可搬式給排水装置接続構造１が構成される。
【００５７】
次に、本実施形態の効果を説明する。
【００５８】
上記したとおり、本実施形態によれば、開閉部材１２が平板状に形成されて蓋部材１１の一部を構成し、蓋部材１１と共に床と同一平面上に配置されている。この開閉部材１２と直交する面に各給排水側接続口１８，１９，２０が向けられて開閉部材１２の裏側に給排水接続部１７が取り付けられている。給排水接続部１７（および開閉部材１２）は、開閉軸部１３を軸として回転すると共に後方側が立ち上がり、床上において蓋部材１１に対して傾斜して使用時の状態となる。このように、給排水接続部１７が床上に配置されることから、可搬式吐水装置５０の可搬側接続部５６との接続が、床と同一平面よりも上方で行われる。そのため、可搬側接続部５６の各可搬側接続口５７，５８，６７と給排水接続部１７の各給排水側接続口１８，１９，２０との間に毛髪が挟まることがない。したがって、可搬式吐水装置５０と給排水装置１０とを確実に接続することができ、円滑に給排水をすることができる。
【００５９】
本実施形態によれば、開閉部材１２は、不使用時において床と同一平面上に配置されるため、この開閉部材１２の裏側に備えられた給排水接続部１７は不使用時において床下に遮蔽される。一方、開閉部材１２は使用時において起立して床上に配置されるため、給排水接続部１８は使用時において床上に露出される。仮に、毛髪が給排水装置１０に入ったとしても、給排水接続部１７が開閉部材１２ごと起立するため毛髪が可搬側接続部５６の各可搬側接続口５７，５８，６７と給排水接続部１７の各給排水側接続口１８，１９，２０との間に毛髪が挟まることがない。したがって、可搬式吐水装置５０と給排水装置１０とを確実に接続することができ、円滑に給排水をすることができる。
【００６０】
本実施形態によれば、開閉部材１２の裏側に備えられている給排水接続部１７は、各給排水側接続口１８，１９，２０が開閉部材１２と直交する面に向けられているため、床下に遮蔽されている状態において、各給排水側接続口１８，１９，２０は水平方向に向けられている。仮に、毛髪が給排水装置１０に入ったとしても、毛髪の落下方向と各給排水側接続口１８，１９，２０が向けられている水平方向とが直交しているため毛髪が各給排水側接続口１８，１９，２０に入ることがない。したがって、可搬式吐水装置５０と給排水装置１０とを確実に接続することができ、円滑に給排水をすることができる。
【００６１】
本実施形態によれば、開閉部材１２が床と同一平面上に配置された不使用時に給排水接続部１７が収納される空間に、収納部２６が形成され、収納部２６の右側方に寄せて右側開閉リンク機構３４が配置され、左側方に寄せて左側開閉スライドが配置３８されている。この構成により、仮に、毛髪が給排水装置１０に入ったとしても、散乱する範囲が収納部２６に留まるため、各機構３４，３８の間に入ることがない。したがって、給排水装置１０や各機構３４，３８を分解することなく、給排水装置１０の清掃や保守を容易に行うことができる。
【００６２】
本実施形態によれば、給排水接続部１７（および開閉部材１２）を作動させる開閉操作部２７が給排水装置１０に備えられている。開閉レバー２８の前方側を引き上げて蓋部材１１に対して垂直にし、下方に向けて押し込むことで、各機構３４，３８を作動させ、給排水接続部１７（および開閉部材１２）が、床上において蓋部材１１に対して垂直に起立する。この構成により、給排水接続部１７（および開閉部材１２）を作動させて開放する操作が、給排水装置１０単体で行われる。したがって、不使用時においても、給排水接続部１７（および開閉部材１２）を操作して給排水装置１０を開放させ、通気すると共に換気を促して結露を防ぐことができる。
【００６３】
本実施形態によれば、給排水接続部１７は、各給排水側接続口１８，１９，２０の両側方に、各給排水側接続口１８，１９，２０と同じ向きに挿入口４４が形成されている。一方、可搬側接続部５６は、各可搬側接続口５７，５８，６７の両側方に、固定ピン６０が配置されている。各可搬側接続口５７，５８，６７および固定ピン６０の配置は、給排水装置１０の各給排水側接続口１８，１９，２０および挿入口４４の配置に揃えられている。この状態で、接続操作部６３を操作し、ハンドル部材６６を下降させ、各可搬側接続口５７，５８，６７、固定ピン６０および固定脚部６１を可搬側接続部５６と共に連動させて下降させる。可搬式吐水装置５０の各可搬側接続口５７，５８，６７は、給排水装置１０の各給排水側接続口１８，１９，２０と接続され、可搬式吐水装置５０の固定ピン６０は、給排水装置１０の挿入口４４に挿入され、可搬式吐水装置５０の固定脚部６１は、床（または蓋部材１１）に接触する。この構成により、可搬式吐水装置５０と給排水装置１０との接続状態を堅固にすることができる。したがって、円滑に給排水をすることができる。また、可搬式吐水装置５０と給排水装置１０との接続および固定を単一の操作で行うことができる。
【００６４】
本実施形態によれば、給排水装置１０の給排水接続部１７の両側方は、可搬式吐水装置５０と給排水装置１０との接続過程において、可搬式吐水装置５０を案内すると共に給排水接続部１７（および開閉部材１２）を起立させるガイド溝２２が形成されている。ガイド溝２２の溝底部２４は、可搬式吐水装置５０と給排水装置１０との接続過程において、可搬式吐水装置５０が係止される係止溝２５が形成されている。一方、可搬式吐水装置５０のフレーム部５１は、一対の平板状の板片部５３が、下方の両側方寄りに備えられて平坦な面が互いに向き合って配置され、互いが向き合う側の面にガイドローラー５４と係止ピン５５とが備えられている。この構成により、接続過程において、ガイドローラー５４および係止ピン５５がガイド溝２２の溝開放端２３から挿入され、可搬式吐水装置５０が前進する際、ガイドローラー５４がガイド溝２２に沿って案内されて位置決めされる。同時に、給排水接続部１７が可搬式吐水装置５０に押されて蓋部材１１に対して徐々に立ち上げられて起立する。したがって、可搬式吐水装置５０と給排水装置１０とを容易に接続することができる。
【００６５】
さらに、可搬式吐水装置５０が前進し、給排水接続部１７が蓋部材１１に対して垂直に起立すると同時に、ガイドローラー５４がガイド溝２２の溝底部２４に配置され、係止ピン５５がガイド溝２２の係止溝２５に係止される。すなわち、可搬式吐水装置５０の接続操作部６３の操作において、可搬式吐水装置５０の可搬側接続部５６と共に固定ピン６０を下降させて給排水装置１０に接続する際に生じる給排水装置１０からの反力によって、可搬式吐水装置５０が浮いて床から離れようとするところ、係止ピン５５が係止溝２５に係止される力が作用し、両力がつり合って可搬式吐水装置５０が浮かずに床に留まる。したがって、可搬式吐水装置５０と給排水装置１０とを安定させて接続することができる。
【００６６】
次に、本発明の実施形態において、カプラカバー２１が備えられているものを図面に基づいて説明する。図１４は、カプラカバー付きの実施形態に係る可搬式給排水装置接続構造１を構成する給排水装置１０に備えられたカプラカバー２１の外観が示され、図１５、図１６、図１７および図１８は、カプラカバー２１の作動過程が示されている。
【００６７】
図１４に示されているとおり、カプラカバー２１は、平板状に形成された連接板部４６と、各給排水側接続口１８，１９，２０が収まる窪みが形成された遮蔽板部４７とが、側方から視して、“Ｌ”字形に連接して形成されている。連接板部４６の端がカバー軸縁部４８であり、遮蔽板部４７の縁がカバー自由端部４９である。各板部４６，４７が連接した角が、カバー角部６８である。このカプラカバー２１は、不使用時に閉じて使用時に開くものである。
【００６８】
図１５に示されているとおり、給排水装置１０は不使用時の状態である。不使用時の状態において、カプラカバー２１は、連接板部４６のカバー軸縁部４８が給排水接続部１７の下端に軸部を介して連結され、遮蔽板部４７が各給排水側接続口１８，１９，２０を覆うと共にカバー自由端部４９が給排水接続部１７の上端に配置されている。すなわち、カプラカバー２１によって各給排水側接続口１８，１９，２０が遮蔽されている。
【００６９】
この状態において、図１６に示されているとおり、開閉操作部２７を操作して開閉レバー２８を下方に向けて押し込むと、給排水接続部１７（および開閉部材１２）は、開閉軸部１３を軸として回転すると共に後方側が立ち上がる。その際、図１７に示されているとおり、カプラカバー２１は、カバー角部６８が蓋部材１１の縁に当ってカプラカバー２１がカバー軸縁部４８を軸として時計回りに回転（左方から視して右回り）する。図１８に示されているとおり、カプラカバー２１は、カバー自由端部４９が給排水接続部１７の上端から離れて給排水接続部１７の裏側に配置され、各給排水側接続口１８，１９，２０が露出する。なお、給排水接続部１７（および開閉部材１２）を閉じる際は、カバー角部６８が蓋部材１１の縁に当ってカプラカバー２１がカバー軸縁部４８を軸として反時計回りに回転（左方から視して左回り）し、遮蔽板部４７が各給排水側接続口１８，１９，２０を覆って元の状態となる。
【００７０】
以上のとおり、カプラカバー付きの実施形態が構成される。
【００７１】
次に、カプラカバー付きの実施形態の効果を説明する。
【００７２】
上記したとおり、カプラカバー付きの実施形態によれば、カプラカバー２１は、平板状に形成された連接板部４６と、各給排水側接続口１８，１９，２０が収まる窪みが形成された遮蔽板部４７とが、側方から視して、“Ｌ”字形に連接して形成されている。不使用時の状態において、カプラカバー２１は、連接板部４６のカバー軸縁部４８が給排水接続部１７の下端に軸部を介して連結され、遮蔽板部４７が各給排水側接続口１８，１９，２０を覆うと共にカバー自由端部４９が給排水接続部１７の上端に配置されている。給排水接続部１７（および開閉部材１２）が立ち上がる際、カプラカバー２１は、カバー角部６８が蓋部材１１の縁に当ってカバー軸縁部４８を軸として時計回りに回転（左方から視して右回り）し、カバー自由端部４９が給排水接続部１７の上端から離れて各給排水側接続口１８，１９，２０が露出する。この構成により、不使用時において給排水接続部１７がカプラカバー２１に覆われるため、仮に、毛髪が給排水装置１０に入ったとしても、毛髪が各給排水側接続口１８，１９，２０に入ることがない。したがって、可搬式吐水装置５０と給排水接続部口１０とを確実に接続することができ、円滑に給排水をすることができる。
【００７３】
次に、本発明の実施形態の変形例として、開閉操作部２７、および開閉機構３３の右側開閉リンク機構３４における他の構成を図面に基づいて説明する。図１９、図２０、図２１、図２２、図２３、図２４、図２５および図２６は、本実施形態の変形例に係る可搬式給排水装置接続構造を構成する給排水装置１１０に備えられた開閉操作部１２７および右側開閉リンク機構１３４が示されている。なお、以下の説明では、上記した実施形態と異なる構成のみが説明され、同様の構成については、同じ符号が用いられると共に説明が適宜省略されている。
【００７４】
図１９から図２６に示されているとおり、開閉操作部１２７の操作レバー１２８は、中央近傍がレバー軸部１２９（各図（ｂ）参照）を介して蓋部材１１に連結され、中央よりも前方側である開閉操作レバー前部１７０と、中央よりも後方側である開閉操作レバー後部１７１とが形成されている。操作レバー１２８は、不使用時に床（および蓋部材１１）と同一平面上に配置され、使用時にレバー軸部１２９を軸にして反時計回りに回転（右側面から視して左回転）することで、開閉操作レバー前部１７０が起立すると共に開閉操作レバー後部１７１が下降する。
【００７５】
開閉機構３３の右側開閉リンク機構１３４（各図（ａ）（ｂ）参照）は、操作レバー１２８の下方に配置されて平板状に形成された“く”字形の第一リンク片１３５が備えられている。第一リンク片１３５は中央が支持され、上方側が操作レバー１２８の開閉操作レバー後部１７１と対面し、下方端に第二リンク片３６の後方端および第一リンクバネ４５が連結されている。なお、第二リンク片３６、および、第二リンク片３６に連結された第三リンク片３７は、上記した実施形態と同じである。
【００７６】
次に、給排水装置１０における開閉操作部１２７および右側開閉リンク機構１３４の作動過程を図面に基づいて説明する。
【００７７】
図１９および図２０において、給排水装置１１０の不使用時の状態において、操作レバー１２８は蓋部材１１と同一平面上に配置されている。右側開閉リンク機構１３４は、第三リンク片３７が開閉部材１２のロックピン１５に係止されている。
【００７８】
この状態において、図２１および図２２に示されているとおり、開閉レバー１２８の開閉操作レバー前部１７０を引き上げると共に、開閉操作レバー後部１７１を右側開閉リンク機構１３４の第一リンク片１３５に接触させる。図２３および図２４に示されているとおり、開閉レバー１２８をさらに後方に傾倒させ、開閉操作レバー前部１７０を蓋部材１１に対して後方に傾斜させると共に、開閉操作レバー後部１７１に第一リンク片１３５を連動させる。このことによって、右側開閉リンク機構３４は、第一リンク片３５が第一リンクバネ４５の復元力に逆らって時計回りに回転（右側面から視して右回転）する。また、上記した実施形態と同様に、第二リンク片３６が第一リンク片１３５に引っ張られて後方にずれ、第三リンク片３７が第二リンク片３６に引っ張られて時計回りに回転して係止片１４のロックピン１５から外れる。そして、図２５および図２６に示されているとおり、左側開閉スライド機構３８が上記した実施形態と同様に作動して使用時の状態となる。
【００７９】
以上のとおり、本実施形態の変形例に係る可搬式給排水装置接続構造の開閉操作部１２７および右側開閉リンク機構１３４が構成される。
【００８０】
次に、本実施形態の変形例の効果を説明する。
【００８１】
上記したとおり、本実施形態の変形例によれば、開閉操作部１２７の操作レバー１２８は、中央近傍がレバー軸部１２９を介して蓋部材１１に連結され、中央よりも前方側である開閉操作レバー前部１７０と、中央よりも後方側である開閉操作レバー後部１７１とが形成されている。また、右側開閉リンク機構１３４は、操作レバー１２８の下方に配置されて平板状に形成された“く”字形の第一リンク片１３５が備えられている。この構成により、不使用時の状態において、開閉操作レバー前部１７０を引き上げ、蓋部材１１に対して後方に傾斜させると共に、開閉操作レバー後部１７１に第一リンク片１３５を連動させる。右側開閉リンク機構３４は、第一リンク片３５が第一リンクバネ４５の復元力に逆らって時計回りに回転（右側面から視して右回転）する。したがって、上記した実施形態と比較して部材の数を減らして構成を簡素化させ、簡便な構成で可搬式吐水装置５０と給排水装置１０とを確実に接続することができ、円滑に給排水をすることができる。
【００８２】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００８３】
１                可搬式給排水装置接続構造
２                筐体
３                キャスター
１０，１１０      給排水装置
１１              蓋部材
１２              開閉部材
１３              開閉軸部
１４              係止片
１５              ロックピン
１６              被押圧片
１７              給排水接続部
１８              給排水側給湯接続口（接続口）
１９              給排水側給水接続口（接続口）
２０              給排水側排水接続口（接続口）
２１              カプラカバー（カバー）
２２              ガイド溝
２３              溝開放端
２４              溝底部
２５              係止溝
２６              収納部
２７，１２７      開閉操作部
２８，１２８      開閉操作レバー
２９，１２９      レバー軸部
３０              操作ブロック
３１              支柱部
３２              操作バネ
３３              開閉機構
３４，１３４      右側開閉リンク機構（開閉機構）
３５，１３５      第一リンク片
３６              第二リンク片
３７              第三リンク片
３８              左側開閉スライド機構（開閉機構）
３９              スライド部材
４０              押圧片
４１              バネ支持片
４２              スライドバネ
４３              バネ留め片
４４              挿入口
４５              第一リンクバネ
４６              連接板部
４７              遮蔽板部
４８              カバー軸縁部
４９              カバー自由端部
５０              可搬式吐水装置
５１              フレーム部
５２              シャンプーボール
５３              板片部
５４              ガイドローラー
５５              係止ピン
５６              可搬側接続部
５７              可搬側給湯接続口
５８              可搬側給水接続口
５９              可搬側排水接続
６０              固定ピン
６１              固定脚部
６２              脚部バネ
６３              接続操作部
６４              接続操作軸部
６５              連結部材
６６              ハンドル部材
６７              可搬側排水接続口
６８              カバー角部
１７０            開閉操作レバー前部
１７１            開閉操作レバー後部
【図１】
0006714335.tif 000002
【図２】
0006714335.tif 000003
【図３】
0006714335.tif 000004
【図４】
0006714335.tif 000005
【図５】
0006714335.tif 000006
【図６】
0006714335.tif 000007
【図７】
0006714335.tif 000008
【図８】
0006714335.tif 000009
【図９】
0006714335.tif 000010
【図１０】
0006714335.tif 000011
【図１１】
0006714335.tif 000012
【図１２】
0006714335.tif 000013
【図１３】
0006714335.tif 000014
【図１４】
0006714335.tif 000015
【図１５】
0006714335.tif 000016
【図１６】
0006714335.tif 000017
【図１７】
0006714335.tif 000018
【図１８】
0006714335.tif 000019
【図１９】
0006714335.tif 000020
【図２０】
0006714335.tif 000021
【図２１】
0006714335.tif 000022
【図２２】
0006714335.tif 000023
【図２３】
0006714335.tif 000024
【図２４】
0006714335.tif 000025
【図２５】
0006714335.tif 000026
【図２６】
0006714335.tif 000027